(57)【特許請求の範囲】
【請求項１】
ドアロック装置がスマートフォンから出力される信号をスキャンし、該スキャンされた信号強度が既定の信号強度より大きいか否かをチェックする段階と、
前記スキャンされた信号強度が既定の信号強度よりも大きければ、前記ドアロック装置が設けられたドアの外側に設けられた外部アンテナを介して受信されるスマートフォンの信号強度(RSSI)と、前記ドアの内側に設けられた内部アンテナを介して受信されるスマートフォンの信号強度(RSSI)と、を比較する段階と、
前記外部アンテナを介して受信されたスマートフォンの信号強度が、前記内部アンテナを介して受信されたスマートフォンの信号強度よりも一定値以上大きければ、前記スマートフォンが正当なスマートフォンであるか否かを認証する段階と、
前記認証の結果、正当なスマートフォンと認証されれば、ドアロックを解錠する段階と、を含むことを特徴とするドアロック装置の制御方法。
【請求項２】
前記ドアロック装置がスマートフォン信号をスキャンする段階は、
デジタルドアロック装置のキーパッドがタッチされれば、前記ドアロック装置がマスター(Master)として動作して、スマートフォンの信号をスキャンすることを特徴とする請求項１に記載のドアロック装置の制御方法。
【請求項３】
前記ドアロック装置がスマートフォン信号をスキャンする段階は、
前記ドアロック装置がユーザの音声信号を受信して、音声を所定の信号と認識すれば、前記ドアロック装置がマスターとして動作して、スマートフォンの信号をスキャンすることを特徴とする請求項１に記載のドアロック装置の制御方法。
【請求項４】
前記スキャンされた信号強度が既定の信号強度より大きいか否かをチェックする段階は、
前記スキャンされる信号のスマートフォンが、登録されたスマートフォンであるか否かをチェックする段階と、
登録されたスマートフォンであれば、スキャンされた信号強度が、既定の信号強度より大きいか否かをチェックする段階と、を含むことを特徴とする請求項１に記載のドアロック装置の制御方法。
【請求項５】
前記スマートフォンの認証は、
前記ドアロック装置と前記スマートフォンとが無線連結される段階と、
前記ドアロック装置が前記スマートフォンに暗号キーを要求する段階と、
前記スマートフォンが暗号キーを伝送すれば、入力された前記暗号キーが登録された暗号キーと同一であれば、認証が完了されることを特徴とする請求項１に記載のドアロック装置の制御方法。
【請求項６】
ドアに装着され、前記ドアの外側に設けられた外部アンテナと前記ドアの内側に設けられた内部アンテナ、及び前記ドアの開閉を制御する制御部を備えるドアロック装置と、
前記ドアロック装置と無線で連結されるスマートフォンと、を含み、
前記ドアロック装置の制御部は、
前記スマートフォンから出力される信号をスキャンし、前記スキャンされた信号強度が既定の信号強度よりも大きければ、前記外部アンテナを介して受信されたスマートフォンの信号強度と前記内部アンテナを介して受信されるスマートフォンの信号強度とを比較し、比較結果、前記外部アンテナの信号強度が前記内部アンテナの信号強度よりも所定値以上であれば、スマートフォンを認証し、認証結果、正当なスマートフォンであれば、ドアが解錠されるように制御することを特徴とするドア制御システム。
【請求項７】
ドアの外側に設けられた外部アンテナと、
前記ドアの内側に設けられた内部アンテナと、
前記ドアの開閉を制御する制御部と、を備え、
前記制御部は、
前記ドアの近傍にあるスマートフォンから出力される信号をスキャンし、前記スキャンされた信号強度が既定の信号強度よりも大きければ、前記外部アンテナを介して受信されたスマートフォンの信号強度RSSI_outと前記内部アンテナを介して受信されるスマートフォンの信号強度RSSI_inを比較し、比較結果、前記外部アンテナの信号強度が前記内部アンテナの信号強度よりも所定値以上大きければ、スマートフォンが正当なスマートフォンであるか否かを認証し、認証結果、正当なスマートフォンであれば、ドアが解錠されるように制御することを特徴とするドアロック装置。
【請求項８】
前記ドアロック装置は、
タッチ入力でキー入力を受け入れるキーパッドと、
低電力無線通信を用いて前記スマートフォンと無線連結する第１ＢＬＥ通信部を備え、
前記ドアロック装置のキーパッドがタッチされれば、前記ドアロック装置がマスターとして動作して、前記スマートフォンから出力される信号をスキャンすることを特徴とする請求項７に記載のドアロック装置。
【請求項９】
前記ドアロック装置は、
外部音声信号を受信して認識する音声認識部と、
低電力無線通信を用いて前記スマートフォンと無線連結する第１ＢＬＥ通信部を備え、
前記音声認識部がユーザの音声信号を受信して前記音声信号が既定の信号と一致すれば、前記ドアロック装置がマスターとして動作して、前記スマートフォンから出力される信号をスキャンすることを特徴とする請求項７に記載のドアロック装置。
【請求項１０】
前記外部アンテナ及び内部アンテナは、
指向性印刷型(PRINTED)アンテナであり、
印刷(PRINTED)基板の一面は、信号を送受信する円形または方形の金属パターンを含み、前記印刷(PRINTED)基板の他面は、接地(ground)パターンからなり、
前記接地パターンの面積は、前記円形または方形の金属パターンの面積よりも大きいことを特徴とする請求項７に記載のドアロック装置。
【発明の詳細な説明】
【技術分野】
【０００１】
本発明は、ドアロック制御及び管理に係り、特に、スマートフォンを用いてドアロックを制御して管理するドアロック制御方法及びシステムと、そのドアロック装置に関する。
【背景技術】
【０００２】
一般的にドアロックシステムとは、建物の玄関に設けられ、ユーザがパスワードを入力することにより、ドアロック状態が解除され、またユーザが外出する場合には、自動的にドアが施錠されるように作動する装置を意味する。そして、デジタルドアロックは、パスワード入力、指紋認識、メモリカードのような電子式キーの接触または近接などによって、ドアロックを解除するようになっている。しかし、パスワードの入力によって、ドアロックを解除するデジタルドアロックは、ユーザがキーパッド上の数字キーを押して、パスワードを入力せねばならないので、保安性が落ちる。すなわち、周りに他人がいる場合に、パスワードの入力が露出されてしまう恐れがある。のみならず、キーパッドの設置位置によって、数字を見ながら入力するために、身をかがめる動作が必要でもある。また、指紋認識によってドアロックを解除するデジタルドアロックは、固設された指紋入力部に合わせてユーザが指を接触させねばならないので、不便である。電子式キーによってドアロックを解除するデジタルドアロックは、ユーザが電子式キーを携帯せねばならない不便さがある。
【発明の概要】
【発明が解決しようとする課題】
【０００３】
本発明が解決しようとする課題は、従来の問題点を解決するためのものであって、ユーザがいちいちキーパッドにある数字キーを押してパスワードを入力せずとも、また固設された指紋入力部に合わせてユーザが指を接触させずとも、登録されたスマートフォンだけ持っていれば、スマートフォンとドアロック装置との近距離無線通信を介して、ドアが自動で開くドアロック制御方法及びシステムと、そのデジタルドアロック装置を提供することである。
【課題を解決するための手段】
【０００４】
前記技術的課題を達成するための本発明によるドアロック装置の制御方法は、ドアロック装置がスマートフォンから出力される信号をスキャンし、該スキャンされた信号強度が既定の信号強度より大きいか否かをチェックする段階；前記スキャンされた信号強度が既定の信号強度よりも大きければ、前記ドアロック装置が設けられたドアの外側に設けられた外部アンテナを介して受信されるスマートフォンの信号強度(RSSI)と前記ドアの内側に設けられた内部アンテナを介して受信されるスマートフォンの信号強度(RSSI)とを比較する段階；前記外部アンテナを介して受信されたスマートフォンの信号強度が前記内部アンテナを介して受信されたスマートフォンの信号強度よりも一定値以上大きければ、前記スマートフォンが正当なスマートフォンであるか否かを認証する段階；及び前記認証結果、正当なスマートフォンと認証されれば、前記ドアロックを解錠する段階；を含む。
【０００５】
前記ドアロック装置がスマートフォン信号をスキャンする段階は、前記デジタルドアロック装置のキーパッドがタッチされれば、前記ドアロック装置がマスター(Master)として動作してスマートフォンの信号をスキャンするか、前記ドアロック装置がユーザの音声信号を受信して音声を所定の信号と認識すれば、前記ドアロック装置がマスターとして動作してスマートフォンの信号をスキャンすることを特徴とする。
【０００６】
前記スキャンされた信号強度が既定の信号強度より大きいか否かをチェックする段階は、前記スキャンされる信号のスマートフォンが登録されたスマートフォンであるか否かをチェックする段階；及び登録されたスマートフォンであれば、スキャンされた信号強度が既定の信号強度より大きいか否かをチェックする段階；を含むことを特徴とする。
【０００７】
前記外部アンテナ及び内部アンテナは、指向性印刷型(PRINTED)アンテナであり、
印刷(PRINTED)基板の一面は、信号を送受信する円形または方形の金属パターンを含み、前記印刷基板の他面は、接地(ground)パターンからなり、前記接地パターンの面積は、前記円形または方形の金属パターンの面積より大きいことを特徴とする。
【０００８】
前記スマートフォン認証は、前記ドアロック装置と前記スマートフォンとが無線連結される段階；前記ドアロック装置が前記スマートフォンに暗号キーを要求する段階；及び前記スマートフォンが暗号キーを伝送すれば、前記入力された暗号キーが登録された暗号キーと同一であれば、認証が完了されることを特徴とする。
【０００９】
前記技術的課題を達成するための本発明によるドア制御システムは、ドアに装着され、前記ドアの外側に設けられた外部アンテナと前記ドアの内側に設けられた内部アンテナ及び前記ドアの開閉を制御する制御部を備えるドアロック装置；及び前記ドアロックと無線で連結されるスマートフォンを含み、前記ドアロック装置の制御部は、前記スマートフォンから出力される信号をスキャンし、前記スキャンされた信号強度が既定の信号強度よりも大きければ、前記外部アンテナを介して受信されたスマートフォンの信号強度と前記内部アンテナを介して受信されるスマートフォンの信号強度とを比較し、比較結果、前記外部アンテナの信号強度が前記内部アンテナの信号強度よりも所定値以上であれば、スマートフォンを認証し、認証結果、正当なスマートフォンであれば、ドアが解錠されるように制御することを特徴とする。
【００１０】
前記技術的課題を達成するための本発明によるドアロック装置は、ドアの外側に設けられた外部アンテナ；前記ドアの内側に設けられた内部アンテナ；及び前記ドアの開閉を制御する制御部を備え、前記制御部は、前記ドア近傍にあるスマートフォンから出力される信号をスキャンし、前記スキャンされた信号強度が既定の信号強度よりも大きければ、前記外部アンテナを介して受信されたスマートフォンの信号強度RSSI_outと前記内部アンテナを介して受信されるスマートフォンの信号強度RSSI_inとを比較し、比較結果、前記外部アンテナの信号強度が前記内部アンテナの信号強度より所定値以上大きければ、スマートフォンが正当なスマートフォンであるか否かを認証し、認証結果、正当なスマートフォンであれば、ドアが解錠されるように制御する。
【００１１】
前記ドアロック装置は、タッチ入力でキー入力を受け入れるキーパッド；及び低電力ブルートゥース（登録商標）(BLE)を用いて前記スマートフォンと無線連結する第１ＢＬＥ通信部を備え、前記ドアロック装置のキーパッドがタッチされれば、前記ドアロック装置がマスターとして動作して前記スマートフォンから出力される信号をスキャンすることを特徴とする。
【００１２】
前記ドアロック装置は、外部音声信号を受信して認識する音声認識部；及び電力ブルートゥース（登録商標）(BLE)を用いて前記スマートフォンと無線連結する第１ＢＬＥ通信部を備え、前記音声認識部がユーザの音声信号を受信して前記音声信号が既定の信号と一致すれば、前記ドアロック装置がマスター(Master)として動作して前記スマートフォンから出力される信号をスキャンすることを特徴とする。
【００１３】
前記制御部は、前記スキャンされる信号のスマートフォンが登録されたスマートフォンであるか否かをチェックし、登録されたスマートフォンであれば、スキャンされた信号強度が既定の信号強度より大きいか否かをチェックすることを特徴とする。
【００１４】
前記制御部は、前記ドアロック装置が前記スマートフォンと無線連結し、前記ドアロック装置が前記スマートフォンに暗号キーを要求し、前記スマートフォンから暗号キーが送信されれば、前記暗号キーが登録された暗号キーであれば、認証を完了することを特徴とする。
【発明の効果】
【００１５】
本発明によるドアロック制御方法及びシステムと、そのデジタルドアロック装置によれば、ドアでいちいちキーパッドを介してパスワードを入力せずとも、登録されたスマートフォンを所持したユーザが、ドアから一定距離以内にいれば、ドアロック装置が外部アンテナと内部アンテナとを用いて、スマートフォンがドア内にあるか、ドア外部にあるかを認識し、ドア外部にあると判断されれば、近距離通信（例えば、ＢＬＥ通信）を介して登録されたスマートフォンであるか否かを認証して自動的にドアをオープンする。このようにすることで、パスワードの露出を避け、いちいちパスワードを入力せずとも、登録されたスマートフォンだけ持っていれば、ドアが自動で開く便利さを提供する。
【００１６】
そして、スマートフォン及びデジタルドアロックのドアオープン動作において、ドアロックのキーパッドタッチまたは音声認識によってドアロック装置がマスターになってスマートフォンから出力される信号をスキャンし、スキャンされた信号が一定大きさ以上であれば、スマートフォンがドア外部にあるか、ドア内にあるかを判別し、ドア外部にあれば、スマートフォンを認証する一連のドアオープン制御過程をドアロック装置に遂行させることで、スマートフォンの電力消耗を減らす効果がある。
【００１７】
また、方向性アンテナをドアの外部と内部とにそれぞれ設けて、外部アンテナと外部アンテナとの受信信号強度(RSSI)を測定して比較することで、スマートフォンが内部にある場合には、ドアオープン機能が動作せず、外部にある場合のみにドアオープン機能が動作する。
【図面の簡単な説明】
【００１８】
【図１】本発明が適用されるドア制御システムの構成を示す図面である。
【図２】本発明の一実施例によるドア制御システムの構成を示すブロック図である。
【図３】外部アンテナ２２０及び内部アンテナ２３０の一実施例に係わる構成を示す図面である。
【図４】本発明の他の実施例によるドア制御システムの構成を示すブロック図である。
【図５Ａ】本発明の一実施例によるドアロック装置の制御方法を示すフローチャートである。
【図５Ｂ】本発明の一実施例によるドアロック装置の制御方法を示すフローチャートである。
【発明を実施するための形態】
【００１９】
以下、添付された図面に基づいて本発明の望ましい実施例を詳細に説明する。本明細書に記載の実施例と図面に図示された構成は、本発明の望ましい一実施例に過ぎず、本発明の技術的思想をいずれも代弁するものではないので、本願の出願当時において、それらを代替することができる多様な均等物と変更例があるということを理解せねばならない。
【００２０】
図１は、本発明が適用されるドア制御システムの構成を示す図面である。本発明は、ドア(Door)に設けられているドアロック装置１００とドア外部にあるスマートフォン１５０との近距離無線通信を介してドアロック装置１００がマスター(Master)になってスマートフォン１５０を認識して認証することで、ユーザがいちいちキーパッドでパスワードを入力せずとも、自動的にドアロック装置１００のドアオープン機能を具現する。
【００２１】
すなわち、ユーザがドアから一定距離以内におり、登録されたスマートフォン１５０を持っていれば、ドアロック装置１００が外部アンテナ１０２と内部アンテナ１０４とを用いてスマートフォン１５０がドア内部にあるか、ドア外部にあるかを認識し、ドア外部にあると判断されれば、近距離通信（例えば、ＢＬＥ通信）を介して登録されたスマートフォンであるか否かを認証して、自動的にドアをオープンする。そのようにすることで、パスワード露出を避け、いちいちパスワードを入力せずとも、登録されたスマートフォンだけ持っていれば、自動的にドアが開く便利さを提供する。また、ドアロック装置のマスターがドアオープン機能の動作を制御することで、スマートフォンの電力消耗を減らす。
【００２２】
図２は、本発明の一実施例によるドア制御システムの構成を示すブロック図である。本発明の一実施例によるドア制御システムは、ドアロック装置２０及びスマートフォン２５を含んでなる。
【００２３】
ドアロック装置２０は、ドアに装着され、前記ドアの外側に設けられた外部アンテナ２２０と前記ドアの内側に設けられた内部アンテナ２３０及び前記ドアの開閉を制御する制御部２５０を備え、タッチ入力でキー入力を受け入れるキーパッド２１０及び低電力ブルートゥース（登録商標）(BLE)を用いてスマートフォン２５と無線連結する第１ＢＬＥ通信部２４０を含んでなる。
【００２４】
スマートフォン２５は、ドアロック装置２０と無線で連結され、低電力ブルートゥース（登録商標）通信を用いて連結され、低電力ブルートゥース（登録商標）(BLE)を用いてドアロック装置２０と無線連結する第２ＢＬＥ通信部２６０を備える。
【００２５】
制御部２５０は、前記ドアの開閉を制御し、スマートフォン２５から出力される信号をスキャンし、前記スキャンされた信号強度が既定の信号強度よりも大きければ、外部アンテナ２２０を介して受信されたスマートフォンの信号強度と、内部アンテナ２３０を介して受信されるスマートフォンの信号強度と、を比較し、比較結果、外部アンテナ２２０の信号強度が内部アンテナ２３０の信号強度よりも所定値以上であれば、スマートフォン２５を認証し、認証結果、正当なスマートフォンであれば、ドアが解錠されるように制御する。ドアロック装置２０のキーパッド２１０がタッチされれば、ドアロック装置２０は、マスター(Master)として動作してスマートフォン２５から出力される信号をスキャンする。
【００２６】
制御部２５０は、ドアロック装置２０がスマートフォン２５と無線連結し、ドアロック装置２０がスマートフォン２５に暗号キーを要求し、スマートフォン２５から暗号キーが伝送されれば、前記暗号キーが登録された暗号キーであれば、認証を完了する。
【００２７】
図３は、外部アンテナ２２０及び内部アンテナ２３０の一実施例に係わる構成を示す図面である。図３を参照すれば、外部アンテナ２２０及び内部アンテナ２３０は、指向性印刷型(PRINTED)アンテナである。印刷(PRINTED)基板の一面３３０は、信号を送受信する円形または方形の金属パターン３１０とガイド部材３２０を含み、ガイド部材一部３２０に対しては、周りを接地パターン(ground)３３０で遮蔽する。そして、印刷基板の他面は、接地(ground)パターン３５０からなり、電気信号を送受信する給電端子３６０を備える。印刷基板の他面に形成された接地パターン３５０の面積は、印刷(PRINTED)基板の一面に形成された方形の金属パターン３１０の面積よりも大きく形成される。
【００２８】
図４は、本発明の他の実施例によるドア制御システムの構成を示すブロック図である。本発明の他の実施例によるドア制御システムは、ドアロック装置４０及びスマートフォン４５を含んでなる。
【００２９】
ドアロック装置４０は、ドアに装着され、前記ドアの外側に設けられた外部アンテナ４５０と前記ドアの内側に設けられた内部アンテナ４３０及び前記ドアの開閉を制御する制御部４５０を備える。また、ドアロック装置４０は、人の音声信号を入力され、音声を認識する音声認識部４１０及び低電力ブルートゥース（登録商標）(BLE)を用いてスマートフォン４５と無線連結する第１ＢＬＥ通信部４４０を含んでなる。
【００３０】
スマートフォン４５は、ドアロック装置４０と無線で連結され、低電力ブルートゥース（登録商標）通信を用いて連結され、低電力ブルートゥース（登録商標）(BLE)を用いてドアロック装置４０と無線連結する第２ＢＬＥ通信部４６０を備える。
【００３１】
制御部４５０は、前記ドアの開閉を制御し、音声認識部４１０が既保存の音声信号と認識されれば、ドアロック装置４０がマスター(Master)として動作させ、スマートフォン４５から出力される信号をスキャンする。また、制御部４５０は、スマートフォン４５から出力される信号をスキャンし、前記スキャンされた信号強度が既定の信号強度よりも大きければ、外部アンテナ４２０を介して受信されたスマートフォンの信号強度と内部アンテナ４３０を介して受信されるスマートフォンの信号強度とを比較し、比較結果、外部アンテナ４２０の信号強度が内部アンテナ４３０の信号強度よりも所定値以上であれば、スマートフォン４５を認証し、認証結果、正当なスマートフォンであれば、ドアが解錠されるように制御する。
【００３２】
制御部４５０は、ドアロック装置４０がスマートフォン４５と無線連結し、ドアロック装置４０がスマートフォン４５に暗号キーを要求し、スマートフォン４５から暗号キーが伝送されれば、前記暗号キーが登録された暗号キーであれば、認証を完了する。
【００３３】
図５は、本発明の一実施例によるドアロック装置の制御方法を示すフローチャートである。図２ないし図５Ａ及び図５Ｂを参照して、本発明の一実施例によるドアロック装置の制御方法を説明する。
【００３４】
本発明の一実施例では、ＢＬＥ通信モジュールに該当する第２ＢＬＥ通信部２６０が装着されているスマートフォンがＢＬＥ通信のAdvertise mode(Broadcast mode)で動作して周辺のデバイスに一定周期にSignalを伝送する。すなわち、スマートフォンは、AdvertiserになってAdvertising Signalを周期的に出力する。
【００３５】
この際、ドアロック装置２０のキーパッド２１０がタッチされれば（Ｓ５００段階）、第１ＢＬＥ通信部２４０が装着されているドアロック制御装置２０は、マスター(Master)として動作し、スマートフォン２５が周期的に伝送する信号、例えば、ＢＬＥ通信におけるAdvertising Signalを受信するために周期的にスキャンする。（Ｓ５０５段階）
【００３６】
前記信号がスキャンされれば、前記スキャンされた信号が登録されたスマートフォンから出力される信号であるか否かをチェックする（Ｓ５１０段階）。これは、スキャンされる信号ごとにＲＳＳＩ値を測定し、外部アンテナ２２０と内部アンテナ２３０とを介したＲＳＳＩ値を比較する過程を行わず、登録されたスマートフォンのみに対してＲＳＳＩを測定し、比較するためである。そして、登録されたスマートフォンであるか否かは、スキャンされたAdvertiser信号に含まれたスマートフォンＩＤを用いて確認することができる。
【００３７】
ドアロック装置２０がスマートフォン２５から出力される信号をスキャンしつつ登録されたスマートフォンであれば、スキャンされた信号の強度(RSSI)が既定の信号強度（ＴＨ）より大きいか否かをチェックする（Ｓ５１５段階）。
【００３８】
スキャンされた信号が、登録されたスマートフォンから出力された信号であり、一定大きさ（ＴＨ）以上であれば、ドアロック装置２０が設けられたドアの外側に設けられた外部アンテナ２２０を介して受信されるスマートフォン２５の信号強度RSSI_outと前記ドアの内側に設けられた内部アンテナ２３０を介して受信されるスマートフォンの信号強度RSSI_inとを比較する（Ｓ５２０段階）。例えば、外部アンテナ２２０を経てスマートフォン２５の第２ＢＬＥ通信部２６０を介して出力されるAdvertising信号を受信して信号強度RSSI_outが基準値（ＴＨ）よりも大きければ、内部アンテナ２３０を介してスマートフォンのAdvertising信号を受信し、内部アンテナ２３０を介した信号強度RSSI_inを測定する。次いで、外部アンテナ２２０を介して受信されるスマートフォンの信号強度RSSI_outと内部アンテナ２３０を介して受信されるスマートフォンの信号強度RSSI_inとを比較する。
【００３９】
外部アンテナ２２０を介して受信されたスマートフォンの信号強度が内部アンテナ２３０を介して受信されたスマートフォンの信号強度よりも一定値以上大きければ（Ｓ５３０段階）、ユーザがドアの外にいると判断し、ドアロック装置２０は、スマートフォン２５とＢＬＥ通信を通じて一対一連結(Connection)を結ぶ（Ｓ５３５段階）。
【００４０】
連結されれば、ドアをオープンする前に、ドアロック装置２０は、スマートフォン２５が正当なスマートフォンであるか否かを認証する。本発明の実施例では、スマートフォンに暗号キーを要求する（Ｓ５４０段階）。スマートフォン２５がドアロック装置２０に暗号キーを伝送して暗号キーを介して認証が成功すれば、すなわち、認証結果、正当なスマートフォンと認証されれば、ドアロック装置２０は、ドアロックを解錠する（Ｓ５５０段階）。前記認証過程において、暗号キーを介した認証に失敗すれば、一定回数の再認証を可能にし、再認証によっても、認証に失敗すれば、終了する。
【００４１】
一方、上述した本発明の一実施例では、ドアロック装置２０のキーパッド２１０がタッチされれば、ドアロック装置２０がマスターとして動作し、スマートフォン信号をスキャンし始めるが、本発明の他の実施例では、ドアロック装置４０がユーザの音声信号を受信し、音声認識部４１０を介して入力されたユーザの音声が、所定の信号と認識されれば、ドアロック装置４０がマスター(Master)として動作するようにし、スマートフォンの信号をスキャンするようにもできる。例えば、ユーザがドアの外で「ドアオープン」と言えば、音声認識部４１０がユーザの音声を認識し、登録されたユーザの音声であれば、ドアロック装置４０がマスターとなって、スマートフォン４５から出力されるAdvertising信号スキャンを始める。以下、スマートフォンの信号スキャン及び認証過程は、図２と同一なので、詳細な説明は省略する。
【００４２】
本発明は、コンピュータで読み取り可能な記録媒体にコンピュータ（情報処理機能を有する装置をいずれも含む）が読み取り可能なコードとして具現される。コンピュータが読み取り可能な記録媒体は、コンピュータシステムによって読み取り可能なデータが保存される全ての種類の記録装置を含む。コンピュータが読み取り可能な記録装置の例としては、ＲＯＭ、ＲＡＭ、ＣＤ−ＲＯＭ、磁気テープ、フロッピーディスク、光データ保存装置などがある。また、本明細書において、「部」は、プロセッサまたは回路のようなハードウェア構成(hardware component)、及び／またはプロセッサのようなハードウェア構成によって実行されるソフトウェア構成(software component)でもある。
【００４３】
本発明は、図面に図示された実施例に基づいて説明されたが、これは例示的なものに過ぎず、当該技術分野の通常の知識を有する者であれば、それから多様な変形及び均等な他の実施例が可能であるという点を理解できるであろう。したがって、本発明の真の技術的保護範囲は、登録請求範囲の技術的思想によって決定されねばならない。
【産業上の利用可能性】
【００４４】
本発明は、建物のドアロックシステムに利用可能であり、特にスマートフォンを用いてドアロックを制御し、管理するのに有用に利用可能である。
【符号の説明】
【００４５】
20  ドアロック装置
25  スマートフォン
40  ドアロック装置
45  スマートフォン
100  ドアロック装置
102  外部アンテナ
104  内部アンテナ
150  スマートフォン
210  キーパッド
220  外部アンテナ
230  内部アンテナ
240  第１ＢＬＥ通信部
250  制御部
260  第２ＢＬＥ通信部
410  音声認識部
420  外部アンテナ
430  内部アンテナ
440  第１ＢＬＥ通信部
450  制御部
460  第２ＢＬＥ通信部
【図１】
0006882608.tif 000002
【図２】
0006882608.tif 000003
【図３】
0006882608.tif 000004
【図４】
0006882608.tif 000005
【図５Ａ】
0006882608.tif 000006
【図５Ｂ】
0006882608.tif 000007